(57)【要約】【課題】            構成が簡素で組立ての容易な低コストで、落下の恐れのない回路ボックスを得る。【解決手段】        一面の開放した箱体の一側面６がヒンジ構造によって回動可能に組付けられ、この一側面６及び他の部分７に設けられたフランジ８において開放した面側を取付面に向けてネジ固定され、一側面６に対して他の部分７のネジ締め解除により他の部分７を反時計回り方向へ回動させることができるようにした回路ボックスについて、そのヒンジ構造が回動支点となる爪１０と、この爪１０が回転可能に係合する係合孔１１であり、その爪１０の少なくとも一方には取付面に対して鋭角の角度を付け、係合孔１１の一方には角度を付けた爪１０の突出し方向となる面に取付面と略平行で爪の厚さに略等しい幅の爪案内溝１２を連設する。【選択図】          図２
2005331143.tif 000002
【特許請求の範囲】
【請求項１】
一面の開放した箱体の一面がヒンジ構造によって回動可能に組付けられ、この一面及び他の部分に設けられたフランジにおいて開放した面側を取付面に向けてネジ固定され、前記一面に対して前記他の部分のネジ締め解除により前記他の部分を回動させることができるようにした回路ボックスであって、そのヒンジ構造が回動支点となる爪と、この爪が回転可能に係合する係合孔であり、その爪の少なくとも一方には前記取付面に対して鋭角の角度を付け、前記係合孔の一方には角度を付けた爪の突出し方向となる面に前記取付面と略平行で前記爪の厚さに略等しい幅の爪案内溝を連設した回路ボックス。
【請求項２】
請求項１に記載の回路ボックスであって、爪案内溝の幅を係合孔に遠のく部分について爪の厚さより大きくした回路ボックス。
【請求項３】
請求項１又は請求項２のいずれかに記載の回路ボックスであって、一面に係合孔を設け、他の部分に爪を内向きに設けた回路ボックス。
【請求項４】
請求項１〜請求項３までのいずれかに記載の回路ボックスを本体一側の取付面に備えた高所設置型の熱交換換気装置。
【発明の詳細な説明】
【技術分野】
【０００１】
本発明は、外付けにされる回路ボックス及び回路ボックスを備えた高所設置型の熱交換換気装置に関するものである。
【背景技術】
【０００２】
熱交換換気装置の中には、天井裏等、高所に設置され、ダクトを通じて給排気するものがある。その多くは、六面体の本体箱体の一側外表に回路ボックスがネジにより取付けられている。なお、この種の従来技術としては、特許文献１に開示されているものがある。
【０００３】
【特許文献１】特開平５−３２２２０６号公報
【発明の開示】
【発明が解決しようとする課題】
【０００４】
この種の熱交換換気装置における従来の回路ボックスは、保守点検において、ネジを外しても落下しない工夫が講じられている。例えば、フック部を設け、本体箱体の稜部にフック部を引っ掛けるようにしている。この構造の回路ボックスは、ネジを外し、フック部を外して全体を取外し、保守点検を行わねばならず、操作性が悪いうえ、フック部を外した回路ボックスを誤って落下させてしまうようなこともある。そこで、回路ボックスの一面をブッシュによりヒンジ連結し、この一面と他の部分をネジ付けにしているものもある。保守点検に際しては一面はネジを外さず取付けたまま、他の部分のネジを外して回動させて蓋を開ける要領で行う。この構造では、落下する部分はなく、気軽に保守点検を行うことができるが、小さなブッシュを嵌める組立て作業が面倒で、組立て中にブッシュを紛失するなど、作業性が悪く、コストが高く就くといった問題点がある。
【０００５】
本発明は、上記した従来の問題点を解決するためになされたもので、その目的は、構成が簡素で組立ての容易な低コストで、落下の恐れのない回路ボックスを得ることであり、その回路ボックスを設けた保守点検のし易い熱交換換気装置を得ることである。
【課題を解決するための手段】
【０００６】
上記目的を達成するために本発明は、一面の開放した箱体の一面がヒンジ構造によって回動可能に組付けられ、この一面及び他の部分に設けられたフランジにおいて開放した面側を取付面に向けてネジ固定され、一面に対して他の部分のネジ締め解除により他の部分を反時計回り方向へ回動させることができるようにした回路ボックスであって、そのヒンジ構造が回動支点となる爪と、この爪が回転可能に係合する係合孔であり、その爪の少なくとも一方には取付面に対して鋭角の角度を付け、係合孔の一方には角度を付けた爪の突出し方向となる面に取付面と略平行で爪の厚さに略等しい幅の爪案内溝を連設する手段を採用する。
【発明の効果】
【０００７】
本発明によれば、一方の爪を爪案内溝の無い係合孔に嵌め、他方の爪を、爪案内溝にその角度を合わせて係合させて係合孔に嵌め合わせるだけで、一面と他の部分がヒンジ構造によって繋がる。一面及び他の部分に設けられたフランジにおいて取付面にネジ固定させ、一面に対して他の部分のネジ締め解除により他の部分を回動させることができ、ヒンジ構造による一面と他の部分の連結は解除されず、落下の恐れはない。
【発明を実施するための最良の形態】
【０００８】
本発明の熱交換換気装置は、天井裏の空間等、高所に取付けられ、ダクトを通じて給排気するものである。六面体の本体箱体の略中央には、横向きに四角柱状の熱交換器がその対角線を上下方向と水平方向にして上下のガイドレールにより出し入れ可能に組込まれている。熱交換器の四個の稜角部で隔てられた本体箱体の上下左右四個の部屋の二部屋にそれぞれ排気送風機と給気送風機が組込まれている。給気送風機と排気送風機による給気流と排気流をそれぞれ熱交換器の二次通路と一次通路に通して連続的に熱交換させる。排気送風機のある側の本体箱体の一側外表には、接続端子や制御回路等を保護する回路ボックスがネジにより取付けられている。給気送風機と排気送風機には回路ボックスからリード線が配索されている。
【０００９】
回路ボックスは、鋼板製で一面の開放した箱体として構成されている。回路ボックスの一面はヒンジ構造によって他の部分に回動可能に組付けられている。この一面及び他の部分に設けられたフランジにおいて開放した面側を取付面に向けてネジ固定される。一面に対して他の部分のネジ締め解除により他の部分を反時計回り方向へ回動させることができる。ヒンジ構造は、回動支点となる爪と、爪が回転可能に係合する係合孔とにより構成され、爪には取付面に対して鋭角の捻り角度が付けられている。係合孔の一方には爪の突出し方向となる面に取付面と略平行な爪の厚さに略等しい幅の爪案内溝が連設されている。
【００１０】
回路ボックスの組立ては、一方の爪を爪案内溝の無い係合孔に嵌め、他方の爪を、爪案内溝にその角度を合わせて係合させ、係合孔に嵌め合わせるだけで、一面と他の部分がヒンジ構造によって繋がる。一面及び他の部分に設けられたフランジにおいて取付面にネジ固定させ、一面に対して他の部分のネジ締め解除により他の部分を反時計回り方向へ回動させることができる。ヒンジ構造による一面と他の部分の連結は爪の角度が爪案内溝に一致しないため解除されず、他の部分が落下することはない。
【００１１】
実施の形態１．
図１は、本実施の形態の熱交換換気装置を、天板を外して示す斜視図、図２は回路ボックスの構成を示す分解斜視図、図３は、回路ボックスのヒンジ構造を示す拡大側面図、図４は回路ボックスの組立て操作を示す斜視図、図５のＡ、Ｂ、Ｃ、Ｄは、回路ボックスのヒンジ構造の組立て工程を示す側面図である。
【００１２】
本実施の形態の熱交換換気装置は、天井裏の空間等、高所に取付けられ、ダクトを通じて給排気するものである。六面体の本体箱体１の略中央には、横向きに四角柱状の熱交換器２がその対角線を上下方向と水平方向にして上下のガイドレールにより出し入れ可能に組込まれている。熱交換器２の四個の稜角部で隔てられた本体箱体１の上下左右四個の部屋の二部屋にそれぞれ給気送風機３と排気送風機４が組込まれている。排気送風機４と給気送風機３による排気流と給気流をそれぞれ熱交換器２の二次通路と一次通路に通して連続的に熱交換させる。給気送風機３のある側の本体箱体１の一側外表には、接続端子や制御回路等を被覆し保護する回路ボックス５がネジにより取付けられている。排気送風機４と給気送風機３には回路ボックス５からリード線が配索されている。
【００１３】
回路ボックス５は、図２に示すように鋼板製で一面の開放した方形の箱体として構成されている。回路ボックス５の一側面６はヒンジ構造によって他の部分７に回動可能に組付けられている。この一側面６及び他の部分７に設けられたフランジ８において開放した面側を取付面９に向けてネジ固定される。一側面６に対して他の部分７のネジ締め解除により他の部分７を反時計回り方向へ回動させて、制御回路等の保守点検を行うことができる。ヒンジ構造は、図２に示すように回動支点となる二個の爪１０と、この爪１０が回転可能に係合する二個の係合孔１１とにより構成され、爪１０には取付面９に対して鋭角（本例では３０度）の捻り角度が付けられている。係合孔１１の一方には爪１０の突出し方向となる面に取付面９と略平行な爪１０の厚さに略等しい幅の爪案内溝１２が連設されている。
【００１４】
回路ボックス５の組立ては、図４及び図５のＡ，Ｂ，Ｃ，Ｄの組立て工程に示すように一方の爪１０を爪案内溝１２の無い係合孔１１に嵌め、他方の爪１０を、爪案内溝１２にその角度を合わせるように内側に傾けて係合させ、係合孔１１に嵌め合わせるだけで、一側面６と他の部分７がヒンジ構造によって繋がって完了する。そして、一側面６及び他の部分７に設けられたフランジ８において制御回路等を被覆する状態に取付面９にネジ固定させる。リード線の配索や制御回路等の保守点検に際しては、一側面６に対して他の部分７のネジ締めを解除して行う。ネジを外した他の部分７は、反時計回り方向へ回動させ蓋を開くように開放することができる。ヒンジ構造による一側面６と他の部分７の連結は、爪１０の角度が回動範囲では爪案内溝１２に一致しないため解除されず、他の部分７がネジ付けされている一側面６から落下することはない。本実施の形態のように爪案内溝１２の幅を係合孔１１に遠のく部分について爪１０の厚さより開先状１３に大きくすることにより、爪１０を係合孔１１に嵌め合わせる組立作業が一層容易になる。また、ヒンジ構造の爪１０と係合孔１１については、一側面６に係合孔１１を設け、他の部分７に爪１０を内向きに設ける方が、突出部分の無い回路ボックス５となり、外観性や操作性が向上する。上述のようにこの回路ボックス５を備えた熱交換換気装置は、回路ボックス５の構成が簡素で、その組立てが容易なため低コスト化が達成できる。
【図面の簡単な説明】
【００１５】
【図１】熱交換換気装置を、天板を外して示す斜視図である。（実施の形態１）
【図２】回路ボックスの構成を示す分解斜視図である。（実施の形態１）
【図３】回路ボックスのヒンジ構造を示す拡大側面図である。（実施の形態１）
【図４】回路ボックスの組立て操作を示す斜視図である。（実施の形態１）
【図５】回路ボックスのヒンジ構造の組立て工程を示す側面図である。（実施の形態１）
【符号の説明】
【００１６】
５  回路ボックス、  ６  一側面、  ７  他の部分、  ８  フランジ、  ９  取付面、  １０  爪、  １１  係合孔、  １２  爪案内溝、  １３  開先状。
【図１】
2005331143.tif 000003
【図２】
2005331143.tif 000004
【図３】
2005331143.tif 000005
【図４】
2005331143.tif 000006
【図５】
2005331143.tif 000007